(57)【要約】【課題】操作部とデッドボルトとの位置決めが容易な錠等を提供する。【解決手段】ピニオンが設けられ前記ピニオンと同軸にて回動して解錠及び施錠可能な把持部を備えた操作部材と、前記ピニオンと係合するラックを有し前記操作部材の回動操作により出没するデッドボルトと、を有する錠であって、前記ピニオンは互いに異なる複数種類の歯を有し、前記ラックは、前記操作部材の回動方向における位置を特定すべく前記複数種類の歯のうちの所定の種類の歯のみと係合可能な係合歯溝を有する。【選択図】図４
2014084667.tif 000002
【特許請求の範囲】
【請求項１】
ピニオンが設けられ前記ピニオンと同軸にて回動して解錠及び施錠可能な把持部を備えた操作部材と、
前記ピニオンと係合するラックを有し前記操作部材の回動操作により出没するデッドボルトと、を有する錠であって、
前記ピニオンは互いに異なる複数種類の歯を有し、
前記ラックは、前記操作部材の回動方向における位置を特定すべく前記複数種類の歯のうちの所定の種類の歯のみと係合可能な係合歯溝を有することを特徴とする錠。
【請求項２】
請求項１に記載の錠であって、
前記所定の種類の歯は、歯幅方向の端が他の歯より突出し、
前記係合歯溝を除く歯溝は、前記所定の種類の歯の突出した部位と係合する部位が形成されていないことを特徴とする錠。
【請求項３】
請求項２に記載の錠であって、
前記把持部と前記ピニオンとは、回動する軸に沿う方向に繋がって設けられており、
前記所定の種類の歯は、前記他の歯より歯幅が広く、前記把持部と反対側に突出しており、
前記係合歯溝は、回動する軸に沿う方向の長さが前記所定の種類の歯の歯幅より長く、他の歯溝は、前記回動する軸に沿う方向の長さが前記所定の種類の歯の歯幅より短く形成されているとともに、前記他の歯溝の前記把持部と反対側には前記所定の種類の歯との係合を防止する係合防止部が設けられていることを特徴とする錠。
【請求項４】
請求項１乃至請求項３のいずれかに記載の錠であって、
前記操作部材は、前記デッドボルトが収容されて当該デッドボルトの出没を案内する案内部材を備えた錠取付部材に、前記回動する軸に沿う方向の一方側から挿入されるとともに、前記回動する軸に沿う方向の他方側から係合される回動支持部材とともに、前記錠取付部材に回動自在に支持されていることを特徴とする錠。
【請求項５】
請求項２乃至請求項５のいずれかに記載の錠であって、
前記操作部材及び前記デッドボルトは上下方向において対称形状に形成されており、
前記他の歯の歯幅は、前記錠取付部材の前記回動する軸に沿う方向の幅の半分より狭いことを特徴とする錠。
【請求項６】
請求項１乃至請求項５のいずれかに記載の錠を備えた扉と、
前記錠が係合される錠受け部材を備えた枠体と、を有することを特徴とする建具。
【発明の詳細な説明】
【技術分野】
【０００１】
本発明は、解錠及び施錠可能な操作部を備えた錠及び建具に関する。
【背景技術】
【０００２】
解錠及び施錠可能な操作部を備えた錠としては、例えば、ノブの回動軸に一体に取り付けられたピニオンと、サムターンが取り付けられたデッドボルトに設けられたラックとが噛合可能に構成され、サムターンを介してデッドボルトを摺動させるとデッドボルトが突出してストライクに嵌合して施錠され、嵌合が解除されて解錠される扉錠が知られている（例えば、特許文献１参照）。
【先行技術文献】
【特許文献】
【０００３】
【特許文献１】実開昭５４−８１８９４号公報
【発明の概要】
【発明が解決しようとする課題】
【０００４】
上記のような扉錠は、組み立て時において、ラックとピニオンとの係合位置によりサムターンなどの操作部の位置が決定される。このため、組み立て時には、ラックが設けられているデッドボルトの突出状態に合わせてラックの歯とピニオンの歯との位置を合わせて組み立てなければならず、作業が繁雑であるという課題がある。
【０００５】
本発明は、かかる課題に鑑みてなされたものであり、その目的とするところは、操作部とデッドボルトとの位置決めが容易な錠及び建具を提供することにある。
【課題を解決するための手段】
【０００６】
かかる目的を達成するために本発明の錠は、ピニオンが設けられ前記ピニオンと同軸にて回動して解錠及び施錠可能な把持部を備えた操作部材と、前記ピニオンと係合するラックを有し前記操作部材の回動操作により出没するデッドボルトと、を有する錠であって、前記ピニオンは互いに異なる複数種類の歯を有し、前記ラックは、前記操作部材の回動方向における位置を特定すべく前記複数種類の歯のうちの所定の種類の歯のみと係合可能な係合歯溝を有することを特徴とする錠である。
【０００７】
このような錠によれば、ピニオンが有する所定の種類の歯のみと係合可能な係合歯溝と所定の種類の歯とが係合するように、操作部材とデッドボルトとを組み立てることにより、ピニオンと同軸にて回動する操作部材の回動方向における位置が特定される。このため、所定の種類の歯を係合歯溝に合わせて組み立てるだけで、把持部が適切な解錠位置または施錠位置に位置するように容易に組み立てることが可能である。ここで、把持部の適切な解錠位置または施錠位置とは、例えば、操作したときに、デットボルトの出没方向と操作方向が一致して把持部の状態から施錠状態及び解錠状態が認識しやすい位置や、操作時により把持し易く、より回動し易い位置などである。
【０００８】
かかる錠であって、前記所定の種類の歯は、歯幅方向の端が他の歯より突出し、前記係合歯溝を除く歯溝は、前記所定の種類の歯の突出した部位と係合する部位が形成されていないことが望ましい。
【０００９】
このような錠によれば、係合歯溝を除く歯溝は、所定の種類の歯の突出した部位と係合する部位が形成されていないので、所定の種類の歯は係合歯溝以外の歯溝とは係合しない。このため、所定の種類の歯を係合歯溝と確実に係合させて、操作部材を確実に位置決めすることが可能である。
【００１０】
かかる錠であって、前記把持部と前記ピニオンとは、回動する軸に沿う方向に繋がって設けられており、前記所定の種類の歯は、前記他の歯より歯幅が広く、前記把持部と反対側に突出しており、前記係合歯溝は、回動する軸に沿う方向の長さが前記所定の種類の歯の歯幅より長く、他の歯溝は、前記回動する軸に沿う方向の長さが前記所定の種類の歯の歯幅より短く形成されているとともに、前記他の歯溝の前記把持部と反対側には前記所定の種類の歯との係合を防止する係合防止部が設けられていることが望ましい。
【００１１】
このような錠によれば、操作部材と繋がったピニオンが有する所定の種類の歯が、他の歯より前記把持部と反対側に突出するように歯幅が広く形成され、他の歯溝の前記把持部と反対側に所定の種類の歯との係合を防止する係合防止部が設けられているので、所定の種類の歯を係合歯溝のみとより確実に係合させることが可能である。
【００１２】
かかる錠であって、前記操作部材は、前記デッドボルトが収容されて当該デッドボルトの出没を案内する案内部材を備えた錠取付部材に、前記回動する軸に沿う方向の一方側から挿入されるとともに、前記回動する軸に沿う方向の他方側から係合される回動支持部材とともに、前記錠取付部材に回動自在に支持されていることが望ましい。
【００１３】
このような錠によれば、錠取付部材の一方側から挿入された操作部材に、他方側から回動支持部材が係止されて操作部材が錠取付部材に回動自在に支持されるので、別途回動軸を設ける必要がない。このため、より簡単な構造にて操作部材を回動させるとデッドボルトが出没する機構を実現することが可能である。
【００１４】
かかる錠であって、前記操作部材及び前記デッドボルトは上下方向において対称形状に形成されており、前記他の歯の歯幅は、前記錠取付部材の前記回動する軸に沿う方向の幅の半分より狭いことが望ましい。
【００１５】
このような錠によれば、操作部材及びデッドボルトは上下方向において対称形状に形成されているので、錠取付部材のいずれの側にも出没するように取り付けることが可能である。このため、汎用性の高い錠を提供することが可能である。また、他の歯の歯幅が錠取付部材の前記回動する軸に沿う方向の幅の半分より狭いので、操作部材をデッドボルトに対して異なる側に組み付けると、ラックとピニオンが係合しない。このため、取り付け間違いを防止することが可能である。
【００１６】
また、上記錠を備えた扉と、前記錠が係合される錠受け部材を備えた枠体と、を有することを特徴とする建具である。
【００１７】
このような建具によれば、所定の種類の歯を係合歯溝に合わせて組み立てるだけで、操作部材を実際の解錠状態または施錠状態と一致した位置に容易に取り付けることが可能な錠を備えた建具を提供することが可能である。
【発明の効果】
【００１８】
本発明によれば、操作部とデッドボルトとの位置決めが容易な錠及び建具を提供することが可能である。
【図面の簡単な説明】
【００１９】
【図１】本実施形態に係る建具を浴室側から見た図である。
【図２】浴室側から見たチャイルドロック機構の斜視図である。
【図３】図３（ａ）は、浴室扉が閉じた状態のチャイルドロック機構を脱衣室側から見た斜視図であり、図３（ｂ）は、浴室扉が開いた状態のチャイルドロック機構を脱衣室側から見た斜視図である。
【図４】浴室側から見た錠部材の分解斜視図である。
【図５】脱衣室側から見た錠部材の分解斜視図である。
【図６】施錠状態のチャイルドロック機構を示す横断面図である。
【図７】チャイルドロック機構の変形例を示す横断面図である。
【発明を実施するための形態】
【００２０】
以下、本発明の一実施形態に係る錠及びこの錠を備えた建具について図面を参照して説明する。
【００２１】
本実施形態の建具は、図１に示すような、例えば浴室用建具１であって、建物等の躯体に設けられ浴室と脱衣室とを連通する開口に取り付けられる枠体３と、枠体３に回動自在に設けられた浴室扉５とを備えている。
【００２２】
以下の説明においては、浴室用建具１を浴室側から見たときに、上下となる方向を上下方向、左右となる方向を左右方向または見付け方向、浴室の内外方向である奥行き方向を見込み方向として示す。また、浴室用建具１が備える各部材は、単体として説明する場合であっても、浴室用建具１が取り付けられた状態で上下方向、見付け方向、見込み方向等となる方向にて方向を特定して説明する。
【００２３】
枠体３は、上下に設けられた横枠３ａと、左右に設けられた縦枠３ｂとが矩形状に枠組みされて躯体に設けられ、矩形状の枠体３の内周側が浴室と脱衣室とを連通する開口をなしている。
【００２４】
浴室扉５は、上下に設けられた横框５ａと、左右に設けられた縦框でなる戸先框５ｂ及び吊元框５ｃとが矩形状に框組みされ、その内周側に透光性を有する樹脂製の面材６が嵌め込まれている。浴室扉５は、右側に位置する吊元框５ｃが、右側の縦枠３ｂにヒンジにより回動して開口を開閉自在に取り付けられている。
【００２５】
また、浴室用建具１には、幼い子供などの浴室内への出入りを規制するための、所謂チャイルドロック機構７が、浴室扉５の戸先框５ｂと左の縦枠３ｂとにわたって設けられている。
【００２６】
チャイルドロック機構７は、図２、図３に示すように、浴室扉５の戸先框５ｂに設けられる錠としての錠部材８と、閉じられた浴室扉５の戸先框５ｂと対向する左の縦枠３ｂに固定される錠受け部材９とを有している。戸先框５ｂに設けられた錠部材８は、浴室側から操作するための操作部としての把持部１１と、脱衣室側からコイン等にて操作するためのコイン操作部１７ａとが戸先框５ｂの外部に露出しており、把持部１１及びコイン操作部１７ａを回動操作することにより解錠及び施錠することが可能である。そして、把持部１１及びコイン操作部１７ａの向きによりチャイルドロック機構７の解錠状態及び施錠状態が視認可能である。
【００２７】
錠部材８は、図４、図５に示すように、把持部１１を備えた操作部材１０と、コイン操作部１７ａを備え操作部材１０に係止されて一体をなして回動する回動支持部材としての脱衣室回動部材１６と、操作部材１０及び脱衣室回動部材１６の回動操作により戸先框５ｂから枠体３側に出没するデッドボルト２０と、戸先框５ｂに固定され出没するデッドボルト２０を案内する案内部材３０と、を有している。デッドボルト２０は、浴室扉５の面内方向にて水平方向に移動可能に、案内部材３０内に収容されて、中空の押出部材でなる戸先框５ｂ内に収容されている。操作部材１０は、戸先框５ｂ内に設けられたデッドボルト２０と係合するように浴室側から戸先框５ｂに挿入され、脱衣室側から戸先框５ｂに挿入された脱衣室回動部材１６が係止されることにより、脱衣室回動部材１６と一体となって回動可能に戸先框５ｂに支持されている。
【００２８】
操作部材１０は、浴室側に位置する把持部１１と、把持部１１の脱衣室側に設けられるピニオン１２と、ピニオン１２の脱衣室側に設けられて脱衣室回動部材１６が係止される浴室側係止部１３と、を有している。また、把持部１１とピニオン１２との間には、戸先框５ｂの浴室に臨む壁部５ｄに設けられた丸孔でなる浴室側軸受孔５ｅに回動可能に支持される浴室側回動支持部１４が設けられている。
【００２９】
把持部１１は、戸先框５ｂの浴室側軸受孔５ｅの直径より大きな直径をなす円盤状の台座部１１ａと、台座部１１ａにて浴室側軸受孔５ｅを覆うように取り付けられたときに浴室側に突出するつまみ１１ｂとを有している。つまみ１１ｂは、台座部１１ａがなす円の中心を通り、直径方向に長く形成された部位であり、つまみ１１ｂがほぼ鉛直に向いたときに解錠状態となり、ほぼ水平に向いたときに施錠状態となるように構成されている。
【００３０】
浴室側回動支持部１４は、浴室側軸受孔５ｅの直径より僅かに小さく、ピニオン１２の歯先円の直径より僅かに大きな直径をなす部位であり、見込み方向の幅は、戸先框５ｂの肉厚より僅かに広く形成されている。
【００３１】
ピニオン１２は、互いに異なる歯幅を有する２種類の歯を有している。本実施形態のピニオン１２は、把持部１１のつまみ１１ｂの向きと合わせて、所定の種類の歯としての歯幅が広い幅広歯１２ａが設けられている。幅広歯１２ａは、９０度回転した位置にも設けられている。すなわち、つまみ１１ｂが鉛直方向に向いている状態では、幅広歯１２ａはピニオンの中央から上方及び下方と、水平方向の２方向にそれぞれ、他の幅狭歯１２ｂより脱衣室側に突出するように設けられている。幅狭歯１２ｂは、錠部材８が戸先框５ｂに取り付けられた状態にて、戸先框５ｂの浴室側に臨む壁部５ｄと脱衣室側に臨む壁部５ｆとの間における中央より脱衣室側に突出しないように形成されている。
【００３２】
浴室側係止部１３は、ピニオン１２より脱位室側に突出する部位であり、浴室扉５の面内方向に沿う縦断面がほぼ長方形状の中空部をなし、脱衣室側に向かって突出するように配置される。長方形状の長辺側を形成する長辺側壁部１３ａには、脱衣室回動部材１６と係合したときに、脱衣室回動部材１６に設けられた係止片１６ａが係止される係止孔１３ｂが設けられている。ここで、操作部材１０の把持部１１、ピニオン１２、浴室側回動支持部１４は、同軸にて回動自在に形成されている。
【００３３】
脱衣室回動部材１６は、脱衣室側に位置しコイン操作部１７ａが形成された円盤状操作部１７と、戸先框５ｂの脱衣室に臨む壁部５ｆに設けられた丸孔でなる脱衣室側軸受孔５ｇに回動可能に支持される脱衣室側回動支持部１８と、脱衣室側回動支持部１８から浴室側に向かって突出され操作部材１０の浴室側係止部１３に係止される脱衣室側係止部１９とを有している。
【００３４】
円盤状操作部１７は、戸先框５ｂの脱衣室側軸受孔５ｇの直径より大きな直径をなし、脱衣室側軸受孔５ｇを覆うように取り付けられる。
【００３５】
脱衣室側回動支持部１８は、脱衣室側軸受孔５ｇの直径より僅かに小さく、見込み方向の幅は、戸先框５ｂの肉厚より僅かに広く形成されている。
【００３６】
脱衣室側係止部１９は、脱衣室側回動支持部１８より浴室側に突出する部位であり、浴室扉５の面内方向に沿う縦断面が、浴室側係止部１３より僅かに小さなほぼ長方形状の中空部をなし、浴室側に向かって突出するように配置される。長方形状の長辺側を形成する長辺側壁部１９ａには、浴室側係止部１３に挿入されて係止されたときに、浴室側係止部１３に設けられた係止孔１３ｂに係止される係止片１６ａが設けられている。
【００３７】
戸先框５ｂの浴室側軸受孔５ｅに浴室側から操作部材１０が挿入され、脱衣室側軸受孔５ｇに脱衣室側から脱衣室回動部材１６が挿入され、浴室側係止部１３に脱衣室側係止部１９が挿入されて係止孔１３ｂに係止片１６ａが係止されると、操作部材１０と脱衣室回動部材１６とが一体をなす。このとき、浴室側軸受孔５ｅに浴室側回動支持部１４が、脱衣室側軸受孔５ｇに脱衣室側回動支持部１８がそれぞれ回動自在に支持されることにより、操作部材１０と脱衣室回動部材１６とが一体となって回動可能となる。
【００３８】
デッドボルト２０は、操作部材１０及び脱衣室回動部材１６の操作により戸先框５ｂから出没するほぼ直方体状の出没部２１と、出没部２１の上端部及び下端部と見付け方向において吊元側に繋がって上下にそれぞれ設けられ、上下に対向する部位が各々ラック２２をなすラック形成部２３と、上下のラック形成部２３を吊元側の端部にて繋ぐ吊元壁部２４と、上側のラック形成部２３の上側と、下側のラック形成部２３の下側にそれぞれ突出させて設けられ、案内部材３０と係合するデッドボルト側係合片２５を備えた突出部２６と、を有している。そして、デッドボルト２０は、上下のラック形成部２３間であって、出没部２１と吊元壁部２４にて囲まれている部位が、操作部材１０と脱衣室回動部材１６とが一体となって貫通するように、見込み方向に連通している。
【００３９】
出没部２１と突出部２６とは、戸先框５ｂの浴室側に臨む壁部５ｄと脱衣室側に臨む壁部５ｆとの間における中央より脱衣室側のみに位置するように形成されている。また、上下のラック形成部２３と吊元壁部２４とは、浴室側に臨む壁部５ｄと脱衣室側に臨む壁部５ｆとの間における浴室側及び脱衣室側に位置するように形成されている。すなわち上下のラック形成部２３は、出没部２１より浴室側に突出するように形成されている。
【００４０】
上下のラック形成部２３に設けられているラック２２は、当該ラック２２の歯にて形成される歯溝として、ラック形成部２３の見込み方向の全幅に形成され、幅広歯１２ａのみと係合可能な係合歯溝としての長歯溝２２ａと、幅狭歯１２ｂが係合可能な短歯溝２２ｂとを有している。短歯溝２２ｂは、図６に示すように、ラック形成部２３の見込み方向における中央より浴室側のみに形成されており、短歯溝２２ｂの脱衣室側は、ラック２２の歯先の位置にて平坦な面をなす平面部２３ａを有している。このため、浴室側に設けられた短歯溝２２ｂの脱衣室側の端は、平面部２３ａが壁２３ｂをなして遮られている。すなわち、平面部２３ａが幅広歯１２ａと短歯溝２２ｂとの係合を防止する係合防止部をなしている。
【００４１】
上下の突出部２６は、それぞれラック形成部２３の見付け方向における両端に、出没部２１の見込み方向の幅とほぼ同じ幅の突出壁２６ａが形成されており、突出壁２６ａの脱衣室側の端部同士を繋ぐ連結部２６ｂを有しており、連結部２６ｂの見付け方向における中央に脱衣室側に突出するようにデッドボルト側係合片２５が設けられている。連結部２６ｂは、突出壁２６ａより薄く形成され、見込み方向に撓むように弾性変形可能に設けられている。
【００４２】
案内部材３０は、戸先框５ｂの左の縦枠３ｂと対向する面に設けられた挿入孔５ｈを覆うように戸先框５ｂに固定される固定部３１と、固定部３１から戸先框５ｂ内に突出するように形成され、デッドボルト２０が収容されて見付け方向に移動可能な収容部３２と、を有している。本実施形態においては、戸先框５ｂが、錠取付部材に相当する。
【００４３】
固定部３１は、デッドボルト２０の出没部２１が出没する出没開口３１ａを有しており、戸先框５ｂにビス止めされる。
【００４４】
収容部３２は、デッドボルト２０の脱衣室側の面と対向する脱衣室壁部３３と、脱衣室壁部３３の上下の端から浴室側に延出され、デッドボルト２０の突出壁２６ａを含み突出壁２６ａにて挟まれた領域の上部及び下部を覆う上面部３４及び下面部３５と、上のラック形成部２３の上面及び下のラック形成部２３の下面の浴室側にて突出部２６が設けられていない部位と対向する上下の浴室側対向部３６と、上下の浴室側対向部３６の脱衣室側の端と上面部３４及び下面部３５の浴室側の端とを繋ぐ鉛直壁部３７と、上下の浴室側対向部３６の浴室側の端を繋ぐ浴室側壁部３８と、を有している。脱衣室壁部３３、上面部３４、下面部３５、上下の浴室側対向部３６、鉛直壁部３７、及び、浴室側壁部３８は、いずれもデッドボルト２０の対向する部位との間に僅かな空隙を有し、収容部３２に収容されたデッドボルト２０が見付け方向に移動して出没部２１が出没開口３１ａから出没可能に構成されている。
【００４５】
収容部３２の脱衣室壁部３３と浴室側壁部３８とは、操作部材１０と脱衣室回動部材１６とが一体となった状態で、収容部３２に収容されたデッドボルト２０とともに貫通するように湾曲した凹部３３ａ、３８ａが形成されている。
【００４６】
収容部３２の脱衣室壁部３３の上下端部には、それぞれ仕切部３３ｂを介して見付け方向において連なるように２つの長孔３３ｃが設けられている。この長孔３３ｃは、収容部３２にデッドボルト２０が収容された状態でデッドボルト側係合片２５が位置するように形成されている。そして、デッドボルト２０が見付け方向に移動し仕切部３３ｂを通過する際に、連結部２６ｂが撓むように弾性変形してデッドボルト側係合片２５が仕切部３３ｂを乗り越えることにより、操作感が得られるように、また、僅かな外力にて容易にデッドボルト２０が移動してしまうことを防止している。
【００４７】
また、案内部材３０は、戸先框５ｂに収容されたときに収容部３２の吊元側の端が戸先框５ｂの吊元側の壁部５ｉに近接するように構成されている。
【００４８】
錠部材８を取り付ける場合には、まず、案内部材３０の収容部３２にデッドボルト２０を収容した状態にて、戸先框５ｂの挿入孔５ｈから収容部３２を挿入し、案内部材３０の固定部３１を戸先框５ｂにビス止めする。
【００４９】
次に、デッドボルト２０の出没部２１を没している状態とし、つまみ１１ｂを上下方向に沿うように向けた状態で操作部材１０を浴室側から浴室側軸受孔５ｅに挿入する。このとき、ピニオン１２の幅広歯１２ａがラック２２の長歯溝２２ａに係合するように挿入する。また、このときピニオン１２の幅広歯１２ａが、短歯溝２２ｂと係合するように操作部材１０を挿入すると、幅広歯１２ａが平面部２３ａの壁２３ｂに接触するので、浴室側軸受孔５ｅに浴室側回動支持部１４が支持されるところまで挿入することはできない。
【００５０】
最後に、コイン操作部１７ａを上下方向に沿うように向けた状態で脱衣室回動部材１６を脱衣室側から脱衣室側軸受孔５ｇに挿入する。このとき、操作部材１０の浴室側係止部１３に脱衣室回動部材１６の脱衣室側係止部１９が挿入されて係止孔１３ｂに係止片１６ａが係止され、操作部材１０と脱衣室回動部材１６とが一体となる。
【００５１】
そして、つまみ１１ｂ及びコイン操作部１７ａを回動操作することにより突出した出没部２１が、縦枠３ｂに設けられた錠受け部材９の係合凹部９ａと係合して施錠され、出没部２１が戸先框５ｂ内に没して係合凹部９ａとの係合が解除されて解錠される。
【００５２】
本実施形態の錠部材８によれば、ピニオン１２が有する幅広歯１２ａを、当該幅広歯１２ａのみと係合可能な長歯溝２２ａと係合させることにより、ピニオン１２と同軸にて回動する操作部材１０の回動方向における位置が特定される。このため、幅広歯１２ａを長歯溝２２ａに合わせて組み立てるだけで、操作部材１０の把持部１１が解錠位置または施錠位置に位置することにより示される状態と、錠部材８の実際の解錠状態または施錠状態とが一致するような適切な位置に位置合わせして把持部１１を容易に組み立てることが可能である。このため、把持部１１の回動方向の位置により、錠部材８が解錠状態または施錠状態のいずれの状態であるかを視認することが可能である。
【００５３】
また、長歯溝２２ａを除く短歯溝２２ｂは、幅広歯１２ａの、脱衣室側に突出した部位と係合する溝部が形成されておらず幅広歯１２ａを短歯溝２２ｂと係合させることはできないので、幅広歯１２ａを長歯溝２２ａのみと係合させることが可能である。このため、操作部材１０を確実に位置決めすることが可能である。
【００５４】
また、把持部１１と浴室側回動支持部１４を介して繋がったピニオン１２が有する幅広歯１２ａが、幅狭歯１２ｂより把持部１１と反対側に突出するように歯幅が広く形成され、短歯溝２２ｂの把持部１１と反対側に幅広歯１２ａとの係合を防止する平面部２３ａが設けられているので、幅広歯１２ａを長歯溝２２ａのみとより確実に係合させることが可能である。
【００５５】
また、戸先框５ｂの一方側となる浴室側から挿入された操作部材１０に、他方側となる脱衣室側から脱衣室回動部材１６を挿入し、係止孔１３ｂに係止片１６ａを係止されて操作部材１０が戸先框５ｂに回動自在に支持されるので、操作部材１０を回動させるための回動軸を別途設ける必要がない。このため、より簡単な構造にて操作部材１０を回動させてデッドボルト２０が出没する機構を実現することが可能である。
【００５６】
また、操作部材１０、デッドボルト２０、及び、案内部材３０は、いずれも上下方向において対称形状に形成されているので、左開きまたは右開きのいずれの扉の戸先框５ｂであっても取り付けることが可能であり汎用性の高い錠部材８を提供することが可能である。また、幅狭歯１２ｂの歯幅が戸先框５ｂの見付け方向の幅の半分より狭いので、操作部材１０をデッドボルト２０に対して異なる側から組み付けると、ラック２２とピニオン１２とが係合しない。このため、取り付け間違いを防止することが可能であり組立性に優れた錠部材８を提供することが可能である。
【００５７】
また、上記錠部材８を備えた浴室扉５と、錠部材８が係合される錠受け部材９を備えた枠体３と、を有する浴室用建具１によれば、幅広歯１２ａを長歯溝２２ａに合わせて組み立てられて、錠部材８が、把持部１１が示す状態と実際の解錠状態または施錠状態とが一致するように取り付けられた錠部材８を備えた浴室用建具１を提供することが可能である。
【００５８】
上記実施形態においては、解錠状態に把持部１１のつまみ１１ａ及びコイン操作部１７ａがほぼ鉛直をなし、施錠状態につまみ１１ａ及びコイン操作部１７ａがほぼ水平をなす例について説明したが、解錠時及び施錠時におけるつまみ１１ａ及びコイン操作部１７ａの向き、及び、回動する角度は、これに限るものではない。
【００５９】
上記実施形態においては、幅広歯１２ａが脱衣室側に突出して短歯溝２２ｂと係合できない構成としたが、これに限るものではない。例えば、所定の種類の歯は、歯幅は他の歯と同じであり歯の位置が脱衣室側に突出させて配置されていたり、他の歯より歯幅が狭く、歯溝が他の歯が係合する歯溝より短く形成されていたり、所定の種類の歯が歯幅方向において間隔を隔てて分割されており、歯溝側に分割された歯の間に入り込む部位が設けられていてもよい。また、本実施形態では、ピニオン１２が有する歯を幅広歯１２ａと幅狭歯１２ｂとの２種類としたが、これに限らず３種類以上であっても構わない。
【００６０】
上記実施形態においては、出没部２１の形状をほぼ直方体状としたが、図７に示すように、出没部２１の脱衣室側の面が、出没部２１の先端に向かって浴室側に位置するような傾斜面２１ａをなしていてもよい。この場合には、出没部２１が突出した状態で開いている浴室扉５を、そのまま閉じたとしても、出没部２１の傾斜面２１ａが錠受け部材９に押圧されることにより、出没部２１を没しつつ浴室扉５を閉じることが可能である。
【００６１】
上記実施形態においては、把持部の適切な位置を、把持部１１の回動方向の位置により、錠部材８が解錠状態または施錠状態のいずれの状態であるかを視認可能な位置としたが、これに限らず、例えば、操作時により把持し易く、より回動操作し易い位置であってもよい。具体的には、例えば、水平方向に出没するデッドボルトであって、把持部が鉛直方向に対して時計回り方向に４５度傾いた位置と、反時計回り方向に４５度傾いた位置との間にて、解錠状態と施錠状態とに切り替わるように位置決めされていてもよい。
【００６２】
本実施形態においては、浴室用建具１を例に挙げて説明したが、これに限らず回動自在に支持された扉を備えた建具であれば構わない。
【００６３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６４】
１  浴室用建具、３  枠体、５  浴室扉、５ｂ  戸先框、７  チャイルドロック機構、
８  錠部材、９  錠受け部材、１０  操作部材、１１  把持部、１２  ピニオン、
１２ａ  幅広歯、１２ｂ  幅狭歯、１６  脱衣室回動部材、２０  デッドボルト、
２１  出没部、２２  ラック、２２ａ  長歯溝、２２ｂ  短歯溝、２３ａ  平面部、
３０  案内部材
【図１】
2014084667.tif 000003
【図２】
2014084667.tif 000004
【図３】
2014084667.tif 000005
【図４】
2014084667.tif 000006
【図５】
2014084667.tif 000007
【図６】
2014084667.tif 000008
【図７】
2014084667.tif 000009